(57)【要約】【課題】白色光による主照明の機能を維持しながら、光演出効果を得ることができる照明器具を提供する。【解決手段】照明器具10は、器具本体12、拡散カバー13、主光源15および補助光源16を備える。器具本体12は、下面に照射開口23を有する。拡散カバー13は、照射開口23を覆う。主光源15は、器具本体12内に設けられ、拡散カバー13の端部領域13bから中央領域13aに亘って白色光を照射する。補助光源16は、器具本体12内に設けられ、拡散カバー13の中央領域13aに白色光とは異なる光色の光を照射する。【選択図】図１
2020021749.tif 000002
【特許請求の範囲】
【請求項１】
下面に照射開口を有する器具本体と；
前記照射開口を覆う拡散カバーと；
前記器具本体内に設けられ、前記拡散カバーの端部領域から中央領域に亘って白色光を照射する相関色温度が３５００Ｋ以上、１００００Ｋ以下の主光源と；
前記器具本体内に設けられ、前記拡散カバーの中央領域に前記白色光とは異なる光色の光を照射する補助光源と；
を具備し、前記第主光源および前記補助光源の点灯時において、前記拡散カバーの最低輝度となる点の色度がＸＹＺ表色系のｘｙ色度図上で０．２５≦ｘ≦０．３５かつ０．２≦ｙ≦０．３であるとともに、前記拡散カバーの最高輝度となる点の色度がＸＹＺ表色系のｘｙ色度図上で０．４≦ｘ≦０．５かつ０．３５≦ｙ≦０．４５である
ことを特徴とする照明器具。
【請求項２】
前記主光源および前記補助光源の点灯時において、前記拡散カバーの端部領域に最高輝度の領域があり、前記拡散カバーの中央領域に最低輝度の領域があり、最高輝度の領域から最低輝度の領域に亘って輝度が滑らかに変化する輝度分布を有することを特徴とする請求項１記載の照明器具。
【請求項３】
前記拡散カバーの最低輝度は、最高輝度の５％以上４０％以下であることを特徴とする請求項１または２に記載の照明器具。
【請求項４】
前記補助光源のみの点灯時において、前記拡散カバーの中央領域が最高輝度となって前記拡散カバーの端部領域に行くにつれて輝度が低下する輝度分布を有し、輝度値が最高輝度の半分の値となる半値幅は、前記拡散カバーの全幅に対して２５％以上であることを特徴とする請求項１ないし３いずれか一記載の照明器具。
【請求項５】
前記主光源は、相関色温度が３５００Ｋ以上、１００００Ｋ以下の第１の主光源を備え、
前記第１の主光源および前記補助光源の点灯時において、前記拡散カバーの最低輝度となる点の色度がＸＹＺ表色系のｘｙ色度図上で０．２≦ｘ≦０．３かつ０．２≦ｙ≦０．３であるとともに、前記拡散カバーの最高輝度となる点の色度がＸＹＺ表色系のｘｙ色度図上で０．３≦ｘ≦０．４かつ０．３≦ｙ≦０．４である
ことを特徴とする請求項１ないし４いずれか一記載の照明器具。
【請求項６】
前記主光源は、相関色温度が１５００Ｋ以上、３５００Ｋ未満の第２の主光源を備え、
前記第２の主光源および前記補助光源の点灯時において、前記拡散カバーの最低輝度となる点の色度がＸＹＺ表色系のｘｙ色度図上で０．２５≦ｘ≦０．３５かつ０．２≦ｙ≦０．３であるとともに、前記拡散カバーの最高輝度となる点の色度がＸＹＺ表色系のｘｙ色度図上で０．４≦ｘ≦０．５かつ０．３５≦ｙ≦０．４５である
ことを特徴とする請求項１ないし４いずれか一記載の照明器具。
【請求項７】
前記主光源は、相関色温度が３５００Ｋ以上、１００００Ｋ以下の第１の主光源と、相関色温度が１５００Ｋ以上、３５００Ｋ未満の第２の主光源とを備え、
前記第１の主光源、前記第２の主光源および前記補助光源の点灯時において、前記拡散カバーの最低輝度となる点の色度がＸＹＺ表色系のｘｙ色度図上で０．２≦ｘ≦０．３５かつ０．２≦ｙ≦０．３であるとともに、前記拡散カバーの最高輝度となる点の色度がＸＹＺ表色系のｘｙ色度図上で０．３≦ｘ≦０．５かつ０．３≦ｙ≦０．４５である
ことを特徴とする請求項１ないし４いずれか一記載の照明器具。
【請求項８】
前記主光源および前記補助光源の点灯時において、前記拡散カバーの端部領域に最高輝度の領域があり、前記拡散カバーの中央領域に最低輝度の領域があり、最高輝度の領域から最低輝度の領域に亘って輝度が滑らかに変化する輝度分布を有する
ことを特徴とする請求項１ないし７いずれか一記載の照明器具。
【請求項９】
前記拡散カバーの最低輝度は、最高輝度の５％以上４０％以下である
ことを特徴とする請求項１ないし８いずれか一記載の照明器具。
【請求項１０】
前記補助光源のみの点灯時において、前記拡散カバーの中央領域が最高輝度となって前記拡散カバーの端部領域に行くにつれて輝度が低下する輝度分布を有し、輝度値が最高輝度の半分の値となる半値幅は、前記拡散カバーの全幅に対して２５％以上である
ことを特徴とする請求項１ないし９いずれか一記載の照明器具。
【発明の詳細な説明】
【技術分野】
【０００１】
本発明の実施形態は、光演出効果が得られる照明器具に関する。
【背景技術】
【０００２】
従来、器具本体に白色光を発光する白色光源と任意の色の光を発光するカラー光源とを設け、これら光源を拡散カバーで覆った照明器具がある。この照明器具では、例えば読書や作業を行う場合に白色光源を点灯させ、一方、照明空間の雰囲気を変化させる場合に白色光源の出力を下げるか消灯させてカラー光源を点灯させている。
【０００３】
このような照明器具では、拡散カバーの全体が均一の色および輝度となるように構成している。そのため、カラー光源を点灯させて拡散カバーの全体を白色光以外の色にしている場合、照明空間の雰囲気を変化させることはできるが、主照明の機能が得られず、読書や作業を行うのに適さないことがある。
【先行技術文献】
【特許文献】
【０００４】
【特許文献１】特開２０１３−５８３８４号公報
【発明の概要】
【発明が解決しようとする課題】
【０００５】
本発明が解決しようとする課題は、白色光による主照明の機能を維持しながら、光演出効果を得ることができる照明器具を提供することである。
【課題を解決するための手段】
【０００６】
実施形態の照明器具は、下面に照射開口を有する器具本体と；前記照射開口を覆う拡散カバーと；前記器具本体内に設けられ、前記拡散カバーの端部領域から中央領域に亘って白色光を照射する相関色温度が３５００Ｋ以上、１００００Ｋ以下の主光源と；前記器具本体内に設けられ、前記拡散カバーの中央領域に前記白色光とは異なる光色の光を照射する補助光源と；を具備し、前記第主光源および前記補助光源の点灯時において、前記拡散カバーの最低輝度となる点の色度がＸＹＺ表色系のｘｙ色度図上で０．２５≦ｘ≦０．３５かつ０．２≦ｙ≦０．３であるとともに、前記拡散カバーの最高輝度となる点の色度がＸＹＺ表色系のｘｙ色度図上で０．４≦ｘ≦０．５かつ０．３５≦ｙ≦０．４５である。
【発明の効果】
【０００７】
本発明によれば、白色光による主照明の機能を維持しながら、光演出効果を得ることが期待できる。
【図面の簡単な説明】
【０００８】
【図１】第１の実施形態を示す照明器具の断面図である。
【図２】同上照明器具の斜視図である。
【図３】同上照明器具の拡散カバーの斜視図である。
【図４】同上照明器具の点灯状態の斜視図である。
【図５】同上照明器具の第１の主光源および補助光源の点灯時のＸＹＺ表色系のｘｙ色度図である。
【図６】主観評価試験の照明空間の説明図である。
【図７】開放感の主観評価試験の結果を示すグラフである。
【図８】リラックス感の主観評価試験の結果を示すグラフである。
【図９】同上照明器具の第２の主光源および補助光源の点灯時のＸＹＺ表色系のｘｙ色度図である。
【図１０】開放感の主観評価試験の結果を示すグラフである。
【図１１】リラックス感の主観評価試験の結果を示すグラフである。
【図１２】同上照明器具の発光面の水平距離と色度との関係を示す色度図である。
【図１３】同上照明器具の点灯状態の底面図である。
【図１４】比較例の照明器具の発光面の水平距離と色度との関係を示す色度図である。
【図１５】比較例の照明器具の点灯状態の底面図である。
【図１６】同上照明器具の輝度分布図である。
【図１７】同上照明器具の補助光源のみ点灯時の輝度分布図である。
【図１８】比較例の照明器具の輝度分布図である。
【図１９】比較例の照明器具の補助光源のみ点灯時の輝度分布図である。
【図２０】比較例の照明器具の点灯状態の底面図である。
【図２１】空らしさの主観評価試験の結果を示すグラフである。
【図２２】好ましさの主観評価試験の結果を示すグラフである。
【図２３】グラデーションの自然さの主観評価試験の結果を示すグラフである。
【図２４】第２の実施形態を示す照明器具の断面図である。
【図２５】第３の実施形態を示す照明器具の断面図である。
【発明を実施するための形態】
【０００９】
以下、第１の実施形態を、図１ないし図２３を参照して説明する。
【００１０】
図４に示すように、照明器具10は、天井面11に形成された埋込孔に埋め込み設置される天井埋込形照明器具である。
【００１１】
図１および図２に照明器具10の構成を示す。照明器具10は、器具本体12、拡散カバー13、化粧枠14、主光源15および補助光源16を備えている。
【００１２】
さらに、照明器具10は、図示していないが、器具本体12を天井構造物に取り付ける取付枠、主光源15に点灯電源を供給する主電源装置、補助光源16に点灯電源を供給する補助電源装置、主光源15および補助光源16をそれぞれ点灯・消灯および調光制御するために主電源装置および補助電源装置を制御する制御装置を備えている。取付枠は、器具本体12の上部に固定され、天井面11よりも上方の天井構造物から垂下されている埋込ボルトに取り付けられ、器具本体12を支える。この取付枠に、各電源装置が設置されている。
【００１３】
そして、器具本体12は、四角形箱状に形成されており、天板20、この天板20に沿った第１の方向ａで互いに対向する側板21、および第１の方向ａに直交する第２の方向ｂで互いに対向する側板22を有している。器具本体12の下面には、四角形状の照射開口23が形成されている。天板20および側板21，22の組み立てには本体枠24が用いられている。
【００１４】
天板20および側板21，22の内面は、例えば白色面などの反射率の高い反射面25に形成されている。
【００１５】
また、図１ないし図３に示すように、拡散カバー13は、透光性および光拡散性を有する例えば乳白色の樹脂材料を用い、例えば圧空成形法によって一体に形成されている。拡散
カバー13は、一方の対向する辺を結ぶ湾曲方向（第１の方向ａ）に湾曲されるとともに他方の対向する辺を結ぶ幅方向（第２の方向ｂ）には直線状に形成されたカバー部13A、このカバー部13Aの湾曲方向（第１の方向ａ）に対して直交する幅方向（第２の方向ｂ）の両側面に設けられた側面部13B、これらカバー部13Aおよび側面部13Bの下端周辺部から外側方向に突設された縁部13Cを有している。拡散カバー13は、周辺部の縁部13Cが化粧枠14に嵌め込まれて取り付けられている。
【００１６】
拡散カバー13のカバー部13Aは、主光源15および補助光源16からの光が照射されて発光する発光面13Dである。発光面13Dの湾曲形状については、例えば、湾曲方向（第１の方向ａ）の幅Ａが５６５ｍｍ、高さＢが５４．５ｍｍ、曲率半径Ｒが８５３ｍｍである。そして、それら幅と高さの好ましい範囲はＢ／Ａ＝０．０７〜０．１２、より好ましくは０．０８〜０．１０、曲率半径Ｒは８００〜９００ｍｍである。
【００１７】
化粧枠14に取り付けられた拡散カバー13は、照射開口23を覆って器具本体12に配設され、器具本体12の内側に向けて窪むように湾曲されている。
【００１８】
拡散カバー13（発光面13D）は、湾曲方向の中央領域13aおよびこの中央領域13aの両端の端部領域13bを有し、中央領域13aの頂部が器具本体12の中心に一致するように構成されている。
【００１９】
また、化粧枠14は、中央に四角形状の開口部28を有する四角形枠状に形成され、器具本体12の側板21，22の下端に取り付けられている。すなわち、化粧枠14は、器具本体12の照射開口23の周囲に設けられている。
【００２０】
化粧枠14は、四角形枠状に設けられた化粧板部29、およびこの化粧板部29の上面から立ち上げられて側板21，22に取り付けられる取付部30を備えている。
【００２１】
化粧板部29の外周側には、天井面11の埋込孔を覆って天井面11に対向される縁部31が設けられている。
【００２２】
第１の方向ａの化粧板部29の内側縁には、それぞれ化粧枠14の中央方向に向けて突出する対向部32が設けられている。対向部32は、拡散カバー13の端部領域13bの下面との間に間隙を設けて、拡散カバー13の端部領域13bの下面に対向されている。対向部32の上面は、例えば白色面などの反射率の高い反射面に形成されている。
【００２３】
したがって、本実施形態では、化粧枠14は、第１の方向ａの両側に位置する化粧板部29の幅が、第２の方向ｂの両側に位置する化粧板部29の幅よりも広く設けられている。なお、第２の方向ｂの化粧板部29の内側縁にも対向部32を設けて、化粧板部29の全周の幅を同じ幅としてもよい。
【００２４】
また、主光源15は、器具本体12内の第１の方向ａの両端部側の位置で、それぞれ第２の方向ｂに沿って設けられている。
【００２５】
主光源15は、白色光を発光する。白色光は、一般の照明光に用いられる白色系の照明光で、例えば昼光色、昼白色および電球色などの照明光が含まれる。主光源15は、所定の相関色温度の白色光を発光する主光源15のみを用いてもよいし、相関色温度が３５００Ｋ以上、１００００Ｋ以下、例えば４０００Ｋの白色光を発光する第１の主光源15a、および相関色温度が１５００以上、３５００Ｋ未満、例えば２７００Ｋの白色光を発光する第２の主光源15bを備えていてもよい。
【００２６】
主光源15には、発光モジュール35が用いられている。発光モジュール35は、基板36、およびこの基板36に実装された白色光を発光する複数の発光素子37を備えている。基板36は、器具本体12の第２方向ｂに細長い長方形に形成され、表面に配線パターンが形成されている。複数の発光素子37は、基板36の配線パターン上に、基板36の幅方向の中央に１列または複数列で、基板36の長手方向に沿って所定の間隔をあけて実装されている。発光素子37には、白色光を発光する例えばＳＭＤ(Surface Mount Device)パッケージ方式のＬＥＤが用いられている。主光源15が第１の主光源15aおよび第２の主光源15bを備える場合、例えば、第１の主光源15aの発光素子37と第２の主光源15bの発光素子37とを基板36の長手方向に沿って２列に配列し、あるいは、第１の主光源15aの発光素子37と第２の主光源15bの発光素子37とを基板36の長手方向に沿って交互に１列状に配列し、第１の主光源15aの発光素子37と第２の主光源15bの発光素子37とを独立して点灯制御できるように構成される。
【００２７】
発光素子37を用いた主光源15は、発光素子37の発光面の中心に垂直な方向であって配光ピークとなる光軸38を中心として例えば１２０°の範囲（図１の破線の範囲）に白色光を照射する。
【００２８】
主光源15は、取付部材39によって器具本体12の第１の方向ａの側板21の内面に取り付けられている。取付部材39によって、主光源15は、発光素子37の光軸38が、器具本体12の下面に対して拡散カバー13の中央領域13aの方向に向けて所定の角度θで傾斜するように取り付けられている。その所定の角度θは、発光素子37からの白色光が拡散カバー13の端部領域13bから中央領域13aに亘って照射されるように、例えば４５°に設定されている。
【００２９】
したがって、主光源15は、器具本体12内の第１の方向ａの両端部側にそれぞれ設けられ、拡散カバー13の端部領域13bから中央領域13aに亘って対向し、拡散カバー13の端部領域13bから中央領域13aに亘って白色光を照射する。そして、１つの主光源15の光束は例えば３０００lm程度で、照明器具10が備える２つの主光源15の合計の光束は６０００lm程度となっている。
【００３０】
なお、主光源15は、拡散カバー13の端部領域13bに白色光を均一に照射するために、光拡散性を有する光源カバーで覆うようにしてもよい。
【００３１】
また、補助光源16は、器具本体12内の中央の位置で、第２の方向ｂに沿って設けられている。
【００３２】
補助光源16は、白色光とは異なる光色の光（以下、カラー光という）を発光する。カラー光としては、例えば、青色や赤色などのいずれか１色の場合、または、赤色、緑色および青色などの複数色の場合が含まれる。
【００３３】
補助光源16には、発光モジュール42が用いられている。発光モジュール42は、基板43、およびこの基板43に実装されたカラー光を発光する複数の発光素子44を備えている。基板43は、器具本体12の第２方向ｂに細長い長方形に形成され、表面に配線パターンが形成されている。複数の発光素子44は、基板43の配線パターン上に、基板43の幅方向の中央に１列または複数列で、基板43の長手方向に沿って所定の間隔をあけて実装されている。発光素子44には、カラー光を発光する例えばＳＭＤ(Surface Mount Device)パッケージ方式のＬＥＤが用いられている。
【００３４】
発光素子44を用いた補助光源16は、発光素子44の発光面の中心に垂直な方向であって配光ピークとなる光軸45を中心として例えば１２０°の範囲（図１の破線の範囲）にカラー光を照射する。
【００３５】
補助光源16は、発光素子44の光軸45が拡散カバー13の中央領域13aの頂部に垂直に対向するように、すなわち、発光素子44の光軸45が器具本体12の下面に対して垂直となるように、器具本体12の天板20の下面中央に取り付けられている。
【００３６】
したがって、補助光源16は、器具本体12内の中央に設けられ、拡散カバー13の中央領域13aに対向し、拡散カバー13の中央領域13aにカラー光を照射する。そして、補助光源16の光束は、補助光源16の光が青色光の場合には例えば２７０lm程度となっている。なお、照明器具10が主光源15からの白色光による主照明の機能を維持し、かつ補助光源16のカラー光によって空間が変色することを抑制するためには、補助光源16の光束は１つの主光源15の光束よりも小さく、例えば１／５以下、さらには１／７以下であることが好ましい。
【００３７】
なお、補助光源16は、拡散カバー13の中央領域13aにカラー光を均一に照射するために、光拡散性を有する光源カバーで覆うようにしてもよい。
【００３８】
そして、照明器具10は、主光源15および補助光源16にそれぞれ主電源装置および補助電源装置から点灯電源を供給し、主光源15および補助光源16をそれぞれ点灯させる。
【００３９】
点灯した主光源15からの白色光が拡散カバー13の端部領域13bから中央領域13aに照射され、点灯した補助光源16からのカラー光が拡散カバー13の中央領域13aに照射され、拡散カバー13が光る。
【００４０】
この場合、図４に示すように、拡散カバー13の端部領域13bは白色光によって白色に光り、拡散カバー13の中央領域13aはカラー光によって例えば青色に光る。
【００４１】
拡散カバー13を透過した白色光が照明空間に照射される。この場合、主光源15が器具本体12の端部側に設けられ、主光源15の光軸38を照明器具10の中央方向に向けて傾斜させていることにより、埋込形の照明器具10であっても広い配光角の領域に白色光を照射することができる。
【００４２】
拡散カバー13の中央領域13aに照射されるカラー光は、その拡散カバー13の中央領域13aがカラー光に染まる程度の光束であるため、拡散カバー13の中央領域13aを透過して照明空間に照射されるカラー光の光量は白色光に比べて少ない。
【００４３】
そのため、照明空間には、主として白色光が照射され、例えば読書や作業を行うのに適した照明環境となる。
【００４４】
また、拡散カバー13の中央領域13aには、主光源15からの白色光と補助光源16からのカラー光との両方が照射されるが、白色光の光量が拡散カバー13の端部領域13bから中央領域13aに向かうに従って徐々に少なくなるとともに、カラー光の光量が拡散カバー13の中央領域13aの周辺から中央に向かうに従って徐々に多くなる。そのため、拡散カバー13の端部領域13bと中央領域13aとの間には、白色と青色との間で徐々に色が変わるグラデーション領域が形成される。そのため、照明器具10を見上げた際、拡散カバー13の色がグラデーション領域を介して自然に変化しているように見え、光演出効果を高めることができる。
【００４５】
拡散カバー13の中央領域13aは、補助光源16のカラー光が青色であっても、この青色と白色光とが混色することで、空色に近い青色となる。この場合、照明器具10を見上げた人は、空が連想されやすく、開放感やリラックス感が得られやすくなる。
【００４６】
したがって、照明器具10によれば、白色光による主照明の機能を維持しながら、光演出効果を得ることができる。
【００４７】
さらに、拡散カバー13の中央領域13aが器具本体12の内側に窪むように湾曲しているため、カラー光で光る拡散カバー13の中央領域13aが遠くにあるような奥行き感や開放感が得られやすく、光演出効果を向上できる。
【００４８】
しかも、拡散カバー13の発光面13Dの湾曲形状については、湾曲方向（第１の方向ａ）の幅をＡ、高さをＢとした場合、好ましい範囲はＢ／Ａ＝０．０７〜０．１２、より好ましくは０．０８〜０．１０、曲率半径Ｒは８００〜９００ｍｍであり、この範囲内で連続する曲面形状であることで、主光源15および補助光源16からのそれぞれ光の入射角度が緩やかに変化することとなり、発光面13Dでの色度および輝度の自然な変化が達成でき、違和感のない自然なグラデーション効果を得ることができる。
【００４９】
また、化粧枠14の対向部32が、拡散カバー13の端部領域13bの下面との間に間隙を設けて、拡散カバー13の端部領域13bの下面に対向されているため、拡散カバー13の端部領域13bを透過した光の一部が対向部32で反射し、拡散カバー13の端部領域13bを照らすことになる。そのため、化粧枠14の対向部32に対して拡散カバー13の端部領域13bが離れているように見えやすく、間接照明のように見える効果がある。
【００５０】
次に、拡散カバー13の発光面13Dの色度について説明する。
【００５１】
主光源15の相関色温度４０００Ｋの第１の主光源15aと青色光の補助光源16とを点灯した場合、拡散カバー13の発光面13Dには白色から青色にかけてのグラデーションを呈する。この場合の発光面13Dの色度分布を、図５のＸＹＺ表色系のｘｙ色度図に示す。
【００５２】
このとき、拡散カバー13の最低輝度（４００〜１２０００ｃｄ／ｍ2の範囲であって、例えば４０００ｃｄ／ｍ2）となる点P1の色度は、ＸＹＺ表色系のｘｙ色度図上で０．２５≦ｘ≦０．３５かつ０．２≦ｙ≦０．３にある。この最低輝度となる点P1は、拡散カバー13の中央領域13aでかつ第２の方向ｂの端部側にある（図４参照）。また、拡散カバー13の最高輝度（８０００〜３００００ｃｄ／ｍ2の範囲であって、例えば１６０００ｃｄ／ｍ2）となる点P2の色度は、ＸＹＺ表色系のｘｙ色度図上で０．４≦ｘ≦０．５かつ０．３５≦ｙ≦０．４５にある。最高輝度となる点P2は、端部領域13bの中央にある（図４参照）。
【００５３】
そして、図６に示す照明空間の天井に設置された照明器具10の色度分布が図５に示した色度分布である場合、照明空間に居る居住者Ｄの眼前の相関色温度が５５００Ｋ、眼前の照度が２５０lxとなった。この環境を実施例５５００Ｋとする。また、従来、発光面の色度および輝度が均一な照明器具を用い、図６に示す照明空間で居住者Ｄの眼前の測定点ｄにおける相関色温度が５５００Ｋ、眼前の照度が２５０lxを再現した環境を従来５５００Ｋとする。
【００５４】
実施例５５００Ｋの環境下と従来５５００Ｋの環境下とで、２０〜４０歳代の男女１５名による開放感およびリラックス感を評価した主観評価試験を行い、その主観評価の結果の平均値を図７および図８に示す。主観評価の結果、ｔ検定により有意水準１％において、実施例５５００Ｋの環境は、従来５５００Ｋの環境に比べて、有意に良好であった。これは、実施例５５００Ｋの環境下では、屋外にいるような感覚が得られることが一つの理由としてある。
【００５５】
また、主光源15の相関色温度２７００Ｋの第２の主光源15bと青色光の補助光源16を点
灯することで、発光面13Dには電球色から青紫色にかけてのグラデーションを呈する。この場合の発光面13Dの色度分布を、図９のＸＹＺ表色系のｘｙ色度図に示す。
【００５６】
このとき、拡散カバー13の最低輝度（４００〜１２０００ｃｄ／ｍ2の範囲であって、例えば４０００ｃｄ／ｍ2）となる点P3の色度がＸＹＺ表色系のｘｙ色度図上で０．２５≦ｘ≦０．３５かつ０．２≦ｙ≦０．３にある。この最低輝度となる点P3は、拡散カバー13の中央領域13aでかつ第２の方向ｂの端部側にある（図４参照）。また、拡散カバー13の最高輝度（８０００〜３００００ｃｄ／ｍ2の範囲であって、例えば１６０００ｃｄ／ｍ2）となる点P4の色度がＸＹＺ表色系のｘｙ色度図上で０．４≦ｘ≦０．５かつ０．３５≦ｙ≦０．４５にある。最高輝度となる点P4は、端部領域13bの中央にある（図４参照）。
【００５７】
そして、図６に示す照明空間の天井に設置された照明器具10の色度分布が図６に示した色度分布である場合、照明空間に居る居住者Ｄの眼前の相関色温度が３５００Ｋ、眼前の照度が２００lxとなった。この環境を実施例３５００Ｋとする。また、従来、発光面の輝度および色度が均一な照明器具を用い、図６に示す照明空間で居住者Ｄの眼前の測定点ｄにおける相関色温度が３５００Ｋ、眼前の照度が２００lxを再現した環境を従来３５００Ｋとする。
【００５８】
実施例３５００Ｋの環境下と従来３５００Ｋの環境下とで、２０〜４０歳代の男女１５名による開放感およびリラックス感を評価した主観評価試験を行い、その主観評価の結果の平均値を図１０および図１１に示す。主観評価の結果、ｔ検定によりそれぞれ有意水準１％（開放感）、５％（リラックス感）において、実施例３５００Ｋの環境は、従来３５００Ｋの環境に比べて、有意に良好であった。これは、実施例３５００Ｋの環境下では、屋外にいるような感覚が得られることが一つの理由としてある。
【００５９】
なお、相関色温度４０００Ｋの第１の主光源15aと相関色温度２７００Ｋの第２の主光源15bと青色光の補助光源16とを点灯した場合、拡散カバー13の最低輝度（４００〜１２０００cdの範囲であって、例えば４０００cd）となる点の色度は、ＸＹＺ表色系のｘｙ色度図上で０．２≦ｘ≦０．３５かつ０．２≦ｙ≦０．３にある。この最低輝度となる点は、拡散カバー13の中央領域13aでかつ第２の方向ｂの端部側にある。また、拡散カバー13の最高輝度（８０００〜３００００cdの範囲であって、例えば１６０００cd）となる点の色度は、ＸＹＺ表色系のｘｙ色度図上で０．３≦ｘ≦０．５かつ０．３≦ｙ≦０．４５にある。最高輝度となる点は、端部領域13bの中央にある。この場合にも、同様に、開放感およびリラックス感が得られる。
【００６０】
このように、本実施形態の発光面13Dの見え方を呈する照明器具10は、居住者Ｄの目に届く光の色温度と照度が等しく、発光面の輝度および色度が均一な照明器具に比べて、開放感やリラックス感などの視的快適性を高めることができる。
【００６１】
また、主光源15が相関色温度４０００Ｋの第１の主光源15aと相関色温度２７００Ｋの第２の主光源15bとを備える場合、朝および昼は第１の主光源15aを点灯させる実施例５５００Ｋの環境下とし、昼から夕方にかけて第２の主光源15bを点灯させる実施例３５００Ｋに移行するような制御をすることで、時刻に応じて空の色の変化を再現することができる。
【００６２】
しかも、昼から夕方にかけて第２の主光源15bを点灯させる実施例３５００Ｋの環境下に移行するような制御をすることで、第１の主光源15aのみを点灯した実施例５５００Ｋの環境下で終日過ごす場合に比べ、夜間に分泌されて睡眠を促すホルモンであるメラトニンを抑制する４８０ｎｍ付近の光量を相対的に減らすことができ、良質な睡眠を促すこと
が期待できる。これにより、居住者Ｄにとって生理的にも良好な環境が実現できる。
【００６３】
また、図１２には、横軸に湾曲方向（第１の方向ａ）における発光面13Dの位置（発光面13Dの一端を基準とした他端までの水平距離Ｌ）、縦軸に色度ｘおよび色度ｙとした色度図を示す。
【００６４】
色度図上で、色度ｘおよび色度ｙは、発光面13Dの端部位置から中央位置に亘って滑らかに連続して変化する曲線となる。この場合、図１３に示すように、発光面13Dは、色度が自然に変化し、違和感のない自然なグラデーションを呈する。
【００６５】
図１４には、比較例の色度図を示す。色度図上で、色度ｘおよび色度ｙは、発光面13Dの端部領域と中央領域との間で急激に変化しており、滑らかに連続して変化する曲線ではない。この場合、図１５に示すように、発光面13Dは、色度がはっきりと変化していることが表れ、違和感のない自然なグラデーションを得ることができない。
【００６６】
次に、拡散カバー13の発光面13Dの輝度について説明する。
【００６７】
相関色温度４０００Ｋの主光源15と青色光の補助光源16とを点灯した場合、拡散カバー13の発光面13Dには白色から青色にかけてのグラデーションを呈する。この場合の発光面13Dの輝度分布図を図１６に示す。図１６には、横軸に湾曲方向（第１の方向ａ）における発光面13Dの位置（発光面13Dの一端を基準とした他端までの水平距離Ｌ）、縦軸に輝度を示し、この輝度分布図上に白色の輝度分布曲線、青色の輝度分布曲線、白色＋青色の輝度分布曲線をそれぞれ示している。
【００６８】
白色＋青色の輝度分布曲線は、発光面13Dの端部領域13bに最高輝度の領域があり、発光面13Dの中央領域13aに最低輝度の領域があり、最高輝度の領域から最低輝度の領域に亘って輝度が滑らかに連続して変化する曲線（下に凸となる曲線）を描いている。この場合、図１３に示したように、発光面13Dは、輝度が自然に変化し、違和感のない自然なグラデーションを呈する。
【００６９】
なお、この場合の最低輝度は最大輝度の約２５％である。最低輝度は、最高輝度の５％以上４０％以下であることが好ましい。５％より少ないと発光面13Dの青色に見えにくく、４０％よりも多いと発光面13Dが青く光っているように見えてしまう。
【００７０】
青色の補助光源16のみを点灯した輝度分布図を図１７に示す。輝度値が最高輝度の半分の値となる半値幅（Ｌ／４〜３Ｌ／４）は、発光面13Dの全幅の約５０％となる。
【００７１】
一方、図１８および図１９に比較例の輝度分布図を示す。
【００７２】
図１８は、白色光の主光源15と青色光の補助光源16とを点灯したときで、最高輝度から最低輝度に亘って輝度が滑らかに連続して変化しない曲線となる比較例の輝度分布図を示す。この場合、発光面13Dは、図１５と同様に、白色と青色とが分断された不自然な見え方を呈する。
【００７３】
図１９は、青色光の半値幅が発光面13Dの全幅の２４％である比較例の輝度分布図を示す。この場合、発光面13Dは、図２０に示すように、白色と青色との間に暗部47ができ、不自然な見え方を呈する。
【００７４】
そのため、発光面13Dの色度が自然に変化し、違和感のない自然なグラデーションを呈するには、補助光源16の半値幅が２５％以上であることが好ましい。
【００７５】
なお、輝度が最高輝度の５０％以上となる最高輝度領域は拡散カバー13の発光面13Dの端部領域13bにあり、発光面13Dの面積に対する最高輝度領域の割合は１０〜４０％の範囲である。なお、この面積は、平面に投影したとき（真下から見上げたとき）の見かけの面積である。
【００７６】
そして、図２１ないし図２３は、２０〜４０歳代の男女１０名に照明器具の印象を評価する主観評価試験を行い、その主観評価の結果の平均値を示すものである。図２１ないし図２３の横軸は、左から、図２０に示す発光面13Dに暗部がある場合、図１３に示す本実施形態の場合、図１５に示す発光面13Dに境界が明瞭な場合である。図２１は空らしさ、図２２は好ましさ、図２３はグラデーションの自然さに対する１０名の評価値の平均値をそれぞれ縦軸にとった。
【００７７】
ｔ検定の結果、いずれの項目においても、本実施形態の評価が有意水準1％で、有意に良好である。
【００７８】
したがって、本実施形態では、拡散カバー13の発光面13Dの色度および輝度のそれぞれが滑らかに変化することで、違和感のない自然なグラデーション効果を得ることができる。
【００７９】
なお、補助光源16を消灯し、主光源15のみを点灯させた場合、拡散カバー13の全体を白色光によって光らせることができる。また、主光源15を消灯し、補助光源16のみを点灯させることもできる。
【００８０】
また、補助光源16は、赤色、緑色および青色の発光素子44を備えてカラー照明可能な場合、例えば時刻毎の空の色の変化に対応したカラー光を照射し、例えば日中は青空、夕方は夕焼け空を発光面13Dに再現するようにしてもよい。
【００８１】
次に、図２４に第２の実施形態を示す。なお、第１の実施形態と同じ構成については同じ符号を用い、その構成および作用効果についての説明を省略する。
【００８２】
器具本体12の上側の反射面25が湾曲または傾斜されている。例えば、天板20の下面に、天板20の第１の方向ａの端部側から中央側に向かって徐々に下方に突出する突出部20aを設けることにより、反射面25が湾曲または傾斜されている。
【００８３】
そして、主光源15から上方の天板20の反射面25に向かった光を拡散カバー13に向けて有効に反射させることができため、照明器具10から照明空間に光を照射する効率を向上できる。
【００８４】
なお、第２の実施形態においても、化粧枠14には、第１の実施形態と同様の対向部32を設けてもよい。
【００８５】
次に、図２５に第３の実施形態を示す。なお、各実施形態と同じ構成については同じ符号を用い、その構成および作用効果についての説明を省略する。
【００８６】
照明器具10は、化粧枠14に取り付けられて器具本体12内に配設される反射体50を備えている。反射体50は、拡散カバー13の発光面13Dの上面に対向する反射面51を有している。反射面51は、発光面13Dの湾曲形状に対応して折り曲げられた複数の反射面51a，51b，51c，51d，51eによって構成されている。なお、反射体50は、拡散カバー13の湾曲方向である第１の方向ａに沿って反射面51a〜51eが設けられているが、第２の方向ｂの側面は開口さ
れていてもよいしあるいは側面反射板で閉塞されていてもよい。
【００８７】
中央の反射面51aは、水平状で補助光源16が取り付けられている。中央の反射面51aの両側の反射面51b，51cはそれぞれ端部側が下降するように傾斜状に設けられている。反射面51cは、例えば４５°の角度で傾斜し、主光源15が取り付けられている。反射面51d，51eは、側面を構成し、化粧枠14に取り付けられている。
【００８８】
反射体50の反射面51cには、主光源15を備えた主光源ユニット53が取り付けられている。主光源ユニット53は、主光源15の発光モジュール35に加えて、この発光モジュール35を反射体50に取り付けるための取付部54、および発光モジュール35を覆う光源カバー55を備えている。光源カバー55は、透光性および光拡散性を有しており、発光モジュール35の発光素子37に対向する中央を頂部とした湾曲形状に形成されていて、その両側端部は発光素子37の位置まで延伸している。
【００８９】
反射体50の反射面51aには、補助光源16を備えた補助光源ユニット57が取り付けられている。補助光源ユニット57は、補助光源16の発光モジュール42に加えて、この発光モジュール42を反射体50に取り付けるための取付部58、および発光モジュール42を覆う光源カバー59を備えている。光源カバー59は、透光性および光拡散性を有しており、発光モジュール42の発光素子44に対向する中央を頂部とした湾曲形状に形成されていて、その両側端部は発光素子37の位置まで延伸している。本実施形態では、２つの補助光源ユニット57が用いられ、これら２つの補助光源ユニット57が、反射体50の反射面51aに、発光面13Dの湾曲方向（第１の方向ａ）に対応した方向に所定の間隔をあけて並設されている。
【００９０】
また、化粧枠14は、器具本体12に引っ掛けられた複数の取付ばね61によって上方に引き上げられて、器具本体12に取り付けられている。
【００９１】
また、器具本体12内の上部には、主光源電源装置62および補助光源電源装置63が取り付けられているとともに制御装置が取り付けられている。
【００９２】
そして、この照明器具10において、主光源15および補助光源16から拡散カバー13に照射された光の一部が反射して反射面51に向かい、この反射面51で反射して再び拡散カバー13に照射されるため、拡散カバー13を透過して照明空間に取り出される光取出効率を高めることができる。
【００９３】
また、主光源15からの白色光が反射面51bで反射して発光面13Dの中央領域13aの方向に向かい、補助光源16からのカラー光が反射面51bで反射して発光面13Dの端部領域13bの方向に向かう。すなわち、主光源15と補助光源16との間の反射面51bに白色光およびカラー光が直接または間接的にそれぞれ入射して反射する。そのため、反射面51bで反射する白色光およびカラー光が発光面13Dの中央領域13aと端部領域13bとの間に照射され、発光面13Dの色度が自然に変化し、違和感のない自然なグラデーションを呈することができる。
【００９４】
また、各実施形態において、拡散カバー13は、中心を頂部として周辺部に向けて湾曲する球面状に形成してもよい。この場合、拡散カバー13の周辺部は、四角形状および円形状のいずれでもよい。さらに、主光源15は、器具本体12の側面全周域に設けて、拡散カバー13の外径側から拡散カバー13に白色光を照射するようにすればよい。
【００９５】
また、拡散カバー13は、平板状でもよく、あるいは、中央領域13aが器具本体12から突出するように湾曲していてもよい。
【００９６】
また、器具本体12の拡散カバー13の中央領域13aに対向してプロジェクタを配設し、拡
散カバー13の中央領域13aに対して例えば雲などの映像を投影するようにしてもよい。この場合、補助光源16は、主光源15とともに器具本体12の端部側に設けて、カラー光を拡散カバー13の中央領域13aに照射するようによればよい。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
10    照明器具
12    器具本体
13    拡散カバー
13a   中央領域
13b   端部領域
14    化粧枠
15    主光源
15a   第１の主光源
15b   第２の主光源
16    補助光源
23    照射開口
32    対向部
38    光軸
【図１】
2020021749.tif 000003
【図２】
2020021749.tif 000004
【図３】
2020021749.tif 000005
【図４】
2020021749.tif 000006
【図５】
2020021749.tif 000007
【図６】
2020021749.tif 000008
【図７】
2020021749.tif 000009
【図８】
2020021749.tif 000010
【図９】
2020021749.tif 000011
【図１０】
2020021749.tif 000012
【図１１】
2020021749.tif 000013
【図１２】
2020021749.tif 000014
【図１３】
2020021749.tif 000015
【図１４】
2020021749.tif 000016
【図１５】
2020021749.tif 000017
【図１６】
2020021749.tif 000018
【図１７】
2020021749.tif 000019
【図１８】
2020021749.tif 000020
【図１９】
2020021749.tif 000021
【図２０】
2020021749.tif 000022
【図２１】
2020021749.tif 000023
【図２２】
2020021749.tif 000024
【図２３】
2020021749.tif 000025
【図２４】
2020021749.tif 000026
【図２５】
2020021749.tif 000027